(57)【特許請求の範囲】
【請求項１】
空気入口及び空気出口を有するケーシングと、
前記ケーシング内に配置される環状シート上に取り付けられるインペラハウジングと、  前記インペラハウジングを通って前記空気入口から前記空気出口まで延びる経路に沿って空気流を発生させるために、前記インペラハウジング内に配置されるインペラと、
前記インペラハウジングに結合されるモータハウジングと、
前記インペラを駆動するために前記モータハウジング内に配置されるモータと、
前記インペラハウジング及び前記シートと密封係合状態にある環状シールと、
前記環状シールに付加される圧縮荷重を減少させるために、前記インペラハウジングと前記シートとの間に配置される少なくとも１つの弾性支持体と、
を備えるファン。
【請求項２】
前記シートは、前記ケーシングに結合される、請求項１に記載のファン。
【請求項３】
前記シートは、前記ケーシングの側壁から半径方向内向きに延びる、請求項２に記載のファン。
【請求項４】
前記インペラハウジングは、前記環状シールを受け入れるための環状チャネルを形成する凹状部分を備える、請求項１〜３のいずれかに記載のファン。
【請求項５】
前記凹状部分は、前記インペラハウジングの側壁から半径方向外向きに、且つ前記シートに平行に延びるシール係合面を備える、請求項４に記載のファン。
【請求項６】
前記インペラハウジングに対する前記環状シールの回転を防止するための手段を備える、請求項１〜５のいずれかに記載のファン。
【請求項７】
前記シートに対する前記インペラハウジングの角運動を防止するための手段を備える、請求項１〜６のいずれかに記載のファン。
【請求項８】
前記少なくとも１つの弾性支持体は、複数の弾性支持体を備える、請求項１〜７のいずれかに記載のファン。
【請求項９】
前記弾性支持体は、前記インペラハウジングの周りで互いに角度的に離間して配置される、請求項８に記載のファン。
【請求項１０】
前記環状シールの周囲面は、各々がそれぞれの弾性支持体を少なくとも部分的に受け入れるための複数の凹部を形成するように輪郭付けされる、請求項８又は請求項９に記載のファン。
【請求項１１】
前記インペラハウジングは、各々がそれぞれの弾性支持体に結合される複数のマウントを備える、請求項８〜１０のいずれかに記載のファン。
【請求項１２】
前記環状シールは、各々がそれぞれの弾性支持体を受け入れるための複数の凹部を備える、請求項８〜１１のいずれかに記載のファン。
【請求項１３】
各弾性支持体は、それぞれのバネを備える、請求項８〜１２のいずれかに記載のファン。
【請求項１４】
前記環状シールは、発泡体環状シールである、請求項１〜１３のいずれかに記載のファン。
【請求項１５】
前記環状シールは、独立気泡発泡材料から形成される、請求項１〜１４のいずれかに記載のファン。
【請求項１６】
前記環状シールは、前記ケーシングの内側側面から離間される、請求項１〜１５のいずれかに記載のファン。
【発明の詳細な説明】
【技術分野】
【０００１】
本発明は、ファンに関する、本発明は、詳細には、限定されるものではないが、机上型、タワー型、又は台座型ファン等の床又は卓上ファンに関する。
【背景技術】
【０００２】
従来の家庭用ファンは、典型的には、軸線周りで回転するように取り付けられたブレード又はベーンセットと、空気流を発生させるようにブレードセットを回転させる駆動装置とを含む。空気流の運動及び循環は、「風速冷却」又は微風を作り出し、結果として、対流及び蒸発によって熱が消散されるのでユーザは冷却作用を受ける。ブレードは、一般的に、ファンの使用中にユーザが回転ブレードと接触状態になるのを防止して、空気流がハウジングを通過することを可能にするケージ内に配置される。
【０００３】
国際公開第２００９／０３０８７９号には、ファン組立体から空気を放出するために、ケージに入れられたブレードを使用しないファン組立体が説明されている。その代わりに、ファン組立体は円筒形基部を含み、円筒形基部は、一次空気流を基部の中に吸い込むためのモータ駆動式インペラと、基部に連結されて一次空気流をファンから噴出する環状空気出口を含む環状ノズルとを備える。ノズルは、ファン組立体の局所環境中の空気が、口から噴出する一次空気流によって引き込まれ、一次空気流を増幅する中心開口部を形成する。
【０００４】
また、国際公開第２０１０／１００４５２号には、このようなファン組立体が説明されている。基部内で、インペラは、インペラハウジング内に配置され、インペラを駆動するためのモータは、インペラハウジング上に取り付けられたモータバケット内に配置される。インペラハウジングは、角度離間された複数の支持体によって基部内で支持される。各支持体は、次に、基部の内面から半径方向内向きに延びるそれぞれの支持面上に取り付けられる。インペラハウジングと基部との間に気密シールを設けるために、リップシールが、基部の内部側面と係合するようにインペラハウジングの外部側面上に配置される。
【先行技術文献】
【特許文献】
【０００５】
【特許文献１】国際公開第２００９／０３０８７９号
【特許文献２】国際公開第２０１０／１００４５２号
【発明の概要】
【課題を解決するための手段】
【０００６】
本発明は、
空気入口及び空気出口を有するケーシングと、
ケーシング内に配置される環状シート上に取り付けられるインペラハウジングと、
インペラハウジングを通って空気入口から空気出口まで延びる経路に沿って空気流を発生させるために、インペラハウジング内に配置されるインペラと、
インペラハウジングに結合されるモータハウジングと、
インペラを駆動するたにのモータハウジング内に配置されるモータと、
インペラハウジング及びシートと密封係合状態にある環状シールと、
環状シールに付加される圧縮荷重を減少させるために、インペラハウジングと前記シートとの間に配置される少なくとも１つの弾性支持体と、
を備えるファンを提供する。
【０００７】
かくして、ファン組立体は、環状シールと、インペラハウジングと該インペラハウジングが取り付けられるシートとの間に配置される少なくとも１つの弾性支持体と、の両方を備える。インペラハウジングとシートとの間の環状シールの圧縮により、ケーシングとインペラハウジングとの間に延びる経路に沿ってケーシングの空気入口に戻る方向への空気の漏れを防止する気密シールが形成されるので、インペラが発生する加圧空気流は強制的にケーシングの空気出口を通る。
【０００８】
環状シールは、好ましくは発泡体環状シールである。発泡材料から環状シールを形成することで、エラストマー又はゴム材料とは対照的に、環状シールを経由してケーシングへの振動伝達を低減することができる。また、弾性支持体は、インペラハウジング、インペラ、モータハウジング、及びモータが合わさった重さの一部を担うようにインペラハウジングとシートとの間に配置されるので、環状シールに作用する圧縮荷重が低減する。これにより、環状シールの変形量が低減するが、インペラハウジングとシートとの間の環状シールの過度の圧縮は、環状シールを経由するモータハウジングからケーシングへの振動伝達の望ましくない増加につながる可能性がある。
【０００９】
環状シールに作用する圧縮力は、好ましくは、振動を隔絶すべき表面、すなわちファンケーシングの最大剛性の方向と一致させることが好ましい。好ましい実施形態では、この方向は、ケーシングの長手方向軸線に平行である。環状シールは、振動が環状シールからケーシングに半径方向外向きに伝達されないように、ケーシングの内面から離間されることが好ましい。
【００１０】
インペラハウジングとケーシングとの間に気密シールを形成することに加えて、環状シールは、ファン組立体の使用時に弾性支持体の振動を低減するために減衰作用を提供することもできるので、弾性支持体を経由するモータハウジングからケーシングへの振動伝達が低減する。
【００１１】
好ましくは、環状シールは、１０％圧縮で０．０１ＭＰａ未満の応力を示す材料から形成される。好ましい実施形態では、環状シールは、独立気泡発泡材料から形成される。発泡材料は、好ましくは、ＥＰＤＭ（エチレンプロピレンジエンモノマー）ゴム等の合成ゴムから形成される。
【００１２】
インペラハウジングは、シールを受け入れるための環状チャネルを形成する凹状部分を備えていてもよい。インペラハウジングの凹状部分は、好ましくは、シール係合面、例えばフランジを含み、フランジは、インペラハウジングから半径方向外向き及びシートに略平行に延び、シールと密封係合状態にある。
【００１３】
ファンは、インペラハウジングに対するシールの回転を防止する手段を備えていてもよい。インペラハウジングの凹状部分及びシールの外周は、非円形とすることができ、さもなければ環状チャネル内でシールの回転を防止するように成形されてもよい。例えば、インペラハウジングの凹状部分及びシールの外周は、扇形（波形、ホタテガイ状）としてもよい。代替的に又は追加的に、シートは、インペラハウジングに対するシールの回転を防止するための手段を備えていてもよい。
【００１４】
弾性支持体は、好ましくは環状シールの周りに延びる。ファンは、単一の環状弾性支持体を備えていてもよい。代替的に、ファンは、複数の弾性支持体を備えていてもよい。弾性支持体は、好ましくは、インペラハウジングの周りに角度的に離間して配置される。ケーシングの幅を低減するために、環状シールの内周又は外周は、扇形（波形、ホタテガイ状）とするか、各々がそれぞれの弾性支持体を少なくとも部分的に収容するために複数の凹部を形成するように輪郭付けてもよい。代替的に、環状シールには、複数の開口を設けることができ、各弾性支持体はそれぞれの開口を貫通して延びる。
【００１５】
弾性支持体又は各弾性支持体は、それぞれのバネを含んでもよい。代替的に、各弾性支持体は、エラストマー材料から形成してもよい。例えば、単一の環状弾性支持体は、インペラハウジングの周りに配置されるベローズ支持体の形態で提供してもよい。ファンが複数の弾性支持体を備える場合、各支持体は、ゴム又は他の弾性材料やエラストマー材料から形成されるロッド又はシャフトを備えていてもよい。
【００１６】
ファンは、好ましくは、インペラハウジングの角運動、すなわちシートに対するインペラの回転軸線の周りの運動を防止するための手段を備える。例えば、ファンは、シートに対する弾性支持体の角運動を防止するための手段を備えていてもよい。シートには、弾性支持体と係合するための１つ又はそれ以上のストップ部材を設けて、シートに沿う弾性支持体の移動を防止することができる。ストップ部材は、シートの凸状部分又は凹状部分の形態としてもよい。また、ファンは、インペラハウジングに対する弾性支持体の角運動を防止するための手段を備えていてもよい。例えば、インペラハウジングは、弾性支持体と係合するための１つ又はそれ以上のストップ部材を備えて、インペラハウジングに沿う弾性支持体の移動を防止してもよい。ファンが複数の弾性支持体を備える場合、インペラハウジングは、各々がそれぞれの弾性支持体に結合される複数のマウントを備えていてもよい。
【００１７】
シートは、ケーシング内に配置されるようにファンの基部の上端に結合することができる。しかしながら、シートは、好ましくはケーシングに結合される。シートは、好ましくは、ケーシングの側壁から半径方向内向きに延びる。
【００１８】
本発明の好ましい特徴は、添付の図面を参照して単に例示的に以下に説明される。
【図面の簡単な説明】
【００１９】
【図１】ファンの正面図である。
【図２】ファンの空気出口の上から見た正面斜視図である。
【図３】ファンの本体の側断面図である。
【図４】ファン下部のインペラハウジング、環状シール、及び弾性支持体の下から見た分解図である。
【図５】図４に示すファンと同じ構成要素、及びケーシング本体の主本体部下部の、上から見た分解図である。
【発明を実施するための形態】
【００２０】
図１は、ファン１０の正面図である。ファンは本体１２を含み、本体１２は、本体１２の外側ケーシング１６に形成された複数の開口の形態の空気入口１４を有し、一次空気流が、ここを通って外部環境から本体２の中に吸い込まれる。ファン１０から一次空気流を噴出するための空気出口２０を有する環状ノズル１８が、本体１２に結合される。本体１２は、ユーザがファン１０の作動を制御することを可能にするためのユーザインターフェイスを更に含む。ユーザインターフェイスは、複数のユーザ操作可能ボタン２２、２４及びユーザ操作可能ダイヤル２６を含む。
【００２１】
また、図２に示すように、ノズル１８は、環状内側ケーシング部分３０に結合されてこの周りに延びる環状外側ケーシング部分２８を含む。ノズル１８の環状部分２８、３０は、開口部３２の周りに延びて開口部を形成する。これらの部分の各々は、複数の結合部品から形成することができるが、本実施形態では、外側ケーシング部分２８及び内側ケーシング部分３０の各々は、それぞれの単一成形部品から形成される。組み立て時に、外側ケーシング部分２８は、図３及び図４に示すように、内側ケーシング部分３０の前方に配置されるスロットの中に挿入される。外側及び内側ケーシング部分２８、３０は、スロットに導入された接着剤を用いて相互に結合することができる。外側ケーシング部分２８は、本体１２の外側ケーシング１６の開口上端に結合され、本体１２から一次空気流を受け取るための開口下端を有する基部３４を含む。
【００２２】
外側ケーシング部分２８及び内側ケーシング部分３０は、一次空気流を空気出口２０に送るための環状の内部通路を形成する。内部通路は、外側ケーシング部分２８の内部表面及び内側ケーシング部分３０の内部表面によって境界付けられる。外側ケーシング部分２８の基部３４は、一次空気流をノズル１８の内部通路の中に送るように形状付けられる。
【００２３】
空気出口２０は、ノズル１８の後部の方へ配置され、開口部３２を通って、ファン１０の前方に向かって一次空気流を噴出するように構成される。空気出口２０は、少なくとも部分的に開口部３２の周りに延びるが、開口部３２を取り囲むことが好ましい。空気出口２０は、外側ケーシング部分２８の内部表面及び内側ケーシング部分３０の外部表面それぞれの重なり部分又は対向部分によって画定され、好ましくは、０．５ｍｍから５ｍｍの範囲の比較的一定の幅の環状スロットの形態である。本実施形態では、空気出口は、約１ｍｍの幅を有する。スペーサが、外側ケーシング部分２８及び内側ケーシング部分３０の重なり部分が離れるように付勢するために、空気出口２０の周りに間隔を置いて配置され、空気出口２０の幅を所望レベルに維持してもよい。これらのスペーサは、外側ケーシング部分２８及び内側ケーシング部分３０のいずれかと一体であってもよい。
【００２４】
空気出口２０は、内側ケーシング部分３０の外部表面上に一次空気流を向けるように形作られる。内側ケーシング部分３０の外部表面は、空気出口２０に隣接して配置されるとともに空気出口２０がファン１０から噴出する空気をこの上に差し向けるコアンダ面３６と、コアンダ面３６の下流に配置されるディフューザ面３８と、ディフューザ面３８の下流に配置される案内面４０とを含む。ディフューザ面３８は、空気流がファン１０から噴出するのを助けるように、開口部３２の中心軸線Ｘから離れるようにテーパー付けされるように構成される。ディフューザ面３８と開口部３２の中心軸線Ｘとの間に内在する角度は、５°から２５°の範囲であり、本実施形態では約１５°である。案内面４０は、ディフューザ面３８に対してある角度で配置されて、ファン１０からの冷却空気流の効率的な送出を更に助けるようになっている。案内面４０は、好ましくは、開口部３２の中心軸線Ｘに実質的に平行に配置されて、空気出口２０から噴出する空気流に対して実質的に平坦な及び実質的に滑らかな面をもたらす。視覚的に目立つテーパー面４２が、案内面４０から下流に配置され、開口部３２の中心軸線Ｘに実質的に垂直に配置される先端面４４で終端する。テーパー面４２と開口部３２の中心軸線Ｘとの間に内在する角度は、好ましくは約４５°である。
【００２５】
図３は、ファン１０の本体１２を通る側断面図を示す。本体１２は、実質的に円筒形の下側本体部分５２上に取り付けられた実質的に円筒形の主本体部分５０を備える。主本体部分５０及び下側本体部分５２は、好ましくは、プラスチック材料から形成される。主本体部分５０及び下側本体部分５２は、好ましくは、主本体部分５０の外部表面が下側本体部分５２の外部表面と実質的に同一平面にあるように、実質的に同じ外径を有する。
【００２６】
主本体部分５０は、一次空気流がファン組立体１０に入る空気入口１４を含む。本実施形態では、空気入口１４は、主本体部分５０に形成された開口アレイ（開口の配列）を備える。代替的に、空気入口１４は、主本体部分５０に形成された窓内に取り付けられる１つ又はそれ以上のグリル又はメッシュを備えていてもよい。主本体部分５０は、その上端が開口され（図示のように）、一次空気流が本体１２からノズル１８に排出される空気出口５４を提供する。
【００２７】
主本体部分５０は、下側本体部分５２に対して傾斜させることができ、一次空気流がファン組立体１０から噴出する方向を調節できる。例えば、下側本体部分５２の上面及び主本体部分５０の下面には、主本体部分５０が下側本体部分５２から持ち上がるのを防ぎながら、主本体部分５０が下側本体部分５２に対して移動することを可能にする相互結合部を備えていてもよい。例えば、下側本体部分５２及び主本体部分５０は、連結Ｌ字形部材を含んでいてもよい。
【００２８】
下側本体部分５２は、ファン組立体１０が配置される表面と係合するための基部５６上に取り付けられる。下側本体部分５２は、前述のユーザインターフェイスと、ユーザインターフェイスの操作に応答してファン１０の種々の機能を制御するための、全体を符号５８で示す制御回路と、を備える。また、下側本体部分５２は、基部５６に対して下側本体部分５２を首振りさせるための機構を収容する。首振り機構の作動は、ユーザインターフェイスのボタン２４のユーザ押圧に応答して制御回路５８によって制御される。基部５６に対する下側本体部分５２の各首振り周期の範囲は、好ましくは６０°から１２０°であり、首振り機構は、１分間当たり約３から５の首振り周期を実行するようになっている。ファン１０に電力を供給するための主電力ケーブル（図示せず）が、基部５６に形成された開口を通って延びる。
【００２９】
主本体部分５０は、空気入口１４を通って本体１２の中に一次空気流を吸い込むためのインペラ６０を収容する。インペラ６０は、モータ６４から外向きに延びる回転シャフト６２に結合される。本実施形態では、モータ６４は、ダイヤル２６のユーザ操作に応答して、制御回路５８によって速度変更できるＤＣブラシレスモータである。モータ６４の最大速度は、好ましくは５，０００から１０，０００ｒｐｍの範囲である。
【００３０】
モータ６４は、モータハウジング内に収容される。モータハウジングは、モータ６４を支持する下側部分６６と、下側部分６６に連結される上側部分６８と、を備える。シャフト６２は、インペラをシャフト６２に結合できるように、モータハウジングの下側部分６６に形成された開口を通って突出する。モータ６４は、上側部分６８が下側部分６６に結合される前にモータハウジングの下側部分６６内に挿入される。上側部分６８は、インペラ６４から排出された一次空気流を受け取って主本体部分５０の空気出口５４に空気流を案内するための、複数のブレードを有する環状ディフューザ７０を備える。シュラウド７２が、インペラ６０のブレードの外縁部に結合される。
【００３１】
モータハウジングは、インペラハウジング７４によって主本体部分５０内で支持される。インペラハウジング７４は、略栽頭円錐形であり、比較的小さな外向きに広がるインペラハウジングの下端に設けられ且つ一次空気流を受け取るための空気入口７６（図示のような）と、モータハウジングがインペラハウジング７４内で支持される際に、ディフューザ７２から直ぐ上流に配置される、比較的大きなインペラハウジングの上端に設けられた空気出口７８（図示のような）とを含む。インペラ６０、シュラウド７２、及びインペラハウジング７４は、インペラ６０がインペラハウジング７４によって支持される場合に、シュラウド７２がインペラハウジング７４の内面に接近するが接触はしないように成形され、インペラ６０は、インペラハウジング７４と実質的に同軸にある。
【００３２】
環状入口部材８０は、空気流を外側ケーシング１６の空気入口１４からインペラハウジング７４の空気入口７４まで案内する。円板形発泡体の消音部材８２が、インペラハウジング７４の空気入口７６の下方の主本体部分５０内に配置される。環状発泡体の消音部材８４は、モータハウジング内に配置される。
【００３３】
また、図４及び図５を参照すると、インペラハウジング７４は、インペラ６０の回転軸線が、主本体部分５０の長手方向軸線と実質的に同一直線上にあるように、主本体部分５０内に配置される。インペラハウジング７４は、主本体部分５０内に配置される環状シート８６上に取り付けられる。シート８６は、シート８６の上面が、インペラ６０の回転軸線に対して実質的に垂直であるように、主本体部分５０の内面から半径方向内向きに延びる。
【００３４】
環状シール８８は、インペラハウジング７４とシート８６との間に配置される。環状シール８８は、好ましくは発泡体環状シールであり、好ましくは独立気泡発泡材料から形成される。本実施形態では、環状シール８８は、ＥＰＤＭ（エチレンプロピレンジエンモノマー）ゴムから形成されるが、環状シール８８は、好ましくは、１０％圧縮で０．０１ＭＰａ未満の応力を示す他の独立気泡発泡材料から形成することができる。環状シール８８の外径は、好ましくは、環状シール８８が、主本体部分５０の内面から離間されるように、主本体部分５０の内径よりも小さい。
【００３５】
環状シール８８は、シート８６の上面と密封係合状態にある下面と、インペラハウジング７４と密封係合状態にある上面とを有する。本実施形態では、インペラハウジング７４は、インペラハウジングの外壁の周りに延びる凹状密封係合部分９０を含む。インペラハウジング７４の密封係合部分９０は、環状シール８８を受け入れるための環状チャネル９４を画定するフランジ９２を備える。フランジ９２は、フランジ９２の下面が、インペラ６０の回転軸線と実質的に垂直であるように、インペラハウジング７４の外面から半径方向外向きに延びる。フランジ９２の円周リップ９６の内周及び環状シール８８の外周は、好ましくは、扇形（波形、ホタテガイ状、scalloped形状）にするか、さもなければインペラハウジング７４と環状シール８８との間の相対的回転を防止するために複数の凹部９８、１００を形成するように形作られる。
【００３６】
シート８６は、ケーブル（図示せず）が制御回路５８からモータ６４まで通ることができるようにする開口１０２を備える。インペラハウジング７４のフランジ９２及び環状シール８８の各々は、ケーブルの部分を収容するそれぞれの凹部１０４、１０６を形成するように形作られる。１つ又はそれ以上のグロメット又は他のシール部材が、開口１０２を通って、及び本体部分５０の凹部１０４、１０６と内部表面との間を通って空気の漏れを防止するためにケーブル周りに設けられてもよい。
【００３７】
また、複数の弾性支持体１０８が、モータ６４、モータハウジング、インペラ６０、及びインペラハウジング７４の重さの一部を支えるために、インペラハウジング７４とシート８６との間に設けられる。各弾性支持体１０８は、主本体部分５０の長手方向軸線から均等に離間し、その周りに均等に離間される。各弾性支持体１０８は、インペラハウジング７４のフランジ９２上に配置されるそれぞれのマウント１１０に結合される第１の端部と、シート８６に形成される凹部１１２内に受け入れられ、弾性支持体１０８のシート８６に沿った、主本体部分５０の長手方向軸線周りの動きを防止する第２の端部とを有する。本実施例では、各弾性支持体１０８は、それぞれのマウント１１０の上に配置されるバネ１１４と、それぞれの凹部１１２に配置されるゴム脚部１１６とを含む。代替的に、バネ１１４及び脚部１１６は、ゴム又は他の弾性材料やエラストマー材料から形成されるロッド又はシャフトに置き換えられてもよい。他の変形例として、複数の弾性支持体１０８は、環状シール８８の周りに延びる単一の環状弾性支持体に置き換えられてもよい。本実施例では、環状シール８８の外周は、更に扇形（波形、ホタテガイ状、scalloped形状）にするか、さもなければ各々がそれぞれの弾性支持体１０８を少なくとも部分的に受け入れる複数の凹部１１８を形成するように形作られる。これにより、環状シール８８の半径方向の厚さを低減させるか又は主本体部分５０の直径を増大させることなく、弾性支持体１０８を主本体部分５０の長手方向軸線により近く配置できる。
【００３８】
ファン１０を作動させるために、ユーザは、ユーザインターフェイスのボタン２２を押し、それに応答して、制御回路５８は、モータ６４を起動させてインペラ６０を回転させる。インペラ６０の回転により、一次空気流が空気入口１４を通って本体１２の中に吸い込まれる。ユーザは、ダイヤル２６を操作することによって、モータ６４の速度を制御し、したがって空気が空気入口１４を通って本体１２内に吸い込まれる速度を制御することができる。モータ６４の速度に応じて、インペラ６０によって発生する一次空気流は、１秒間当たり２０リットルから３０リットルとすることができる。
【００３９】
モータ６４によるインペラ６０の回転によって、モータハウジング及びインペラハウジング７４を通ってシート８６に伝達される振動が発生する。インペラハウジング７４とシート８６との間に配置される環状シール８８は、モータハウジング、モータ６４、インペラ６０、及びインペラハウジング７４の重さによって圧縮されるので、環状シール８８はシート８６の上面及びインペラハウジング７４のフランジ９２の下面と密封係合状態になる。従って、環状シール８８は、主本体部分５０の内面とインペラハウジング７４の外面との間に延びる経路に沿って一次空気流がインペラハウジング７４の空気入口７６に戻るのを防止するだけでなく、シート８６への、結果的にはファン１０の本体１２への振動伝達を低減する。インペラハウジング７４とシート８６との間の弾性支持体１０８の存在により、経時的な環状シール８８の何らかの過度の圧縮を防止するが、これはさもなければ環状シール８８を経由したシート８６への振動伝達が増加する可能性がある。弾性支持体１０８の弾性により、弾性支持体はシート８６に対して軸線方向及び半径方向に湾曲でき、弾性支持体８８を経由したシート８６への振動伝達を低減できる。環状シール８８は、シート８６に対する弾性支持体１０８の屈曲運動を抑制する働きをする。
【００４０】
一次空気流は、本体１２の空気出口５４を通ってノズル１８の中に入る前に、順番に、インペラ６０とインペラハウジング７４との間を通り、ディフューザ７２を通って流れる。一次空気流は、ノズル１８内で該ノズル１８の開口部３２の周りで反対方向に向かう２つの気流に分割される。空気流がノズル１８を通過すると、空気は、空気出口２０を通って噴出される。空気出口２０から噴出する一次空気流は、ノズル１８のコアンダ面３６上に向けられて、外部環境から、詳細には空気出口２０の周囲の領域及びノズル１８後部の周囲からの空気の同伴によって二次空気流を発生させる。この二次空気流は、ノズル１８の中心開口部３２を通過し、ここで二次空気流は一次空気流と合体して、ノズル１８から前方に放出される全空気流又は気流を生成する。
【符号の説明】
【００４１】
１４  空気入口
５０  主本体部分
５２  下側本体部分
５４  空気出口
５６  基部
５８  制御回路
６０  インペラ
６２  シャフト
６４  モータ
６６  下側部分
６８  上側部分
７０  ディフューザ
７２  シュラウド
７４  インペラハウジング
７６  空気入口
７８  空気出口
８０  環状入口部材
８２  消音部材
８４  消音部材
８６  シート
８８  環状シール
９０  シール係合部分
９２  フランジ
９４  環状チャネル
９６  円周リップ
１０２  開口
１１０  マウント
１１４  バネ
【図１】
0005635137.tif 000002
【図２】
0005635137.tif 000003
【図３】
0005635137.tif 000004
【図４】
0005635137.tif 000005
【図５】
0005635137.tif 000006